(57)【要約】【課題】構成を簡素化でき、異常が検知された発光部の異常過熱を防止でき、発光部の異常検知時に真っ暗になることを防止でき、および、発光部での異常の発生を報知できる照明装置を提供する。【解決手段】この照明装置１は、互いに異なる光色を有する複数の発光部３，５と、各発光部３，５をそれぞれ点灯駆動する複数の点灯駆動部７，９と、各発光部３，５で異常が発生したか否かを検知する異常検知部１０と、各点灯駆動部７，９を介して各発光部３，５の点灯状態を制御する制御部１７ｃとを備える。制御部１７ｃは、各発光部３，５の点灯中に各発光部３，５の何れかで異常が検知された場合は、異常が検知された発光部が消灯されると共に異常が検知されない発光部の点灯が継続されるように各点灯駆動部７，９を制御する。【選択図】図１
2014011053.tif 000002
【特許請求の範囲】
【請求項１】
互いに異なる光色を有する複数の発光部と、
前記発光部を点灯駆動する制御装置とを備え、
前記制御装置は、
前記発光部に生じる異常を検知可能であり、
前記複数の発光部のうち少なくとも一つの発光部において異常が生じていることを検知したとき、異常が生じている発光部への通電を遮断し、異常が生じていない発光部への通電を行う、照明装置。
【請求項２】
互いに異なる光色を有する複数の発光部と、
前記複数の発光部に電流を供給して前記複数の発光部をそれぞれ点灯駆動する複数の点灯駆動部と、
前記複数の発光部に流れる電流または前記複数の発光部に掛かる電圧に基づいて前記複数の発光部で異常が発生したか否かを検知する異常検知部と、
前記複数の点灯駆動部を介して前記複数の発光部の点灯状態を制御する第１制御部と、
を備え、
前記第１制御部は、前記発光部の点灯中に前記異常検知部により前記複数の発光部のうち少なくとも何れか一つの発光部で異常が検知された場合は、前記異常が検知された前記発光部が消灯するよう前記点灯駆動部を制御すると共に、前記異常が検知されない前記発光部の点灯が継続されるように前記点灯駆動部を制御することを特徴とする照明装置。
【請求項３】
請求項１または２に記載の照明装置であって、
前記異常検知部は、
前記複数の発光部に流れる電流をそれぞれ検出する複数の電流検出部と、
前記複数の電流検出部のうち何れかにより検出された電流が所定の閾値電流以上である場合に、当該発光部で異常が発生したと判定する判定部と、
を備えることを特徴とする照明装置。
【請求項４】
請求項１〜３のいずれか一つに記載の照明装置であって、
前記異常検知部は、
前記複数の発光部に掛かる電圧をそれぞれ検出する複数の電圧検出部と、
前記複数の電圧検出部の何れかにより検出された電圧が第１閾値電圧以上または前記第１閾値電圧よりも低い第２閾値電圧未満である場合に、当該発光部で異常が発生したと判定する判定部と、
を備えることを特徴とする照明装置。
【発明の詳細な説明】
【技術分野】
【０００１】
本発明は、互いに異なる光色を有する複数の発光部（例えばＬＥＤ）を用いて照明光を調色する照明装置に関する。
【背景技術】
【０００２】
近年、互いに異なる光色を有する複数の発光部（例えばＬＥＤ）を用いて照明光を調色する照明装置において、照明用の発光部の他に、保安灯用の発光部と、照明用の発光部の異常を検知する異常検知部とを更に備えたものが提案されている。このような従来の照明装置では、照明用の発光部で異常が検知された場合は、異常が検知された発光部の異常過熱を防止するために照明用の発光部が全て消灯されると共に、最低限必要な明かりを確保し且つ当該異常の発生を報知するために保安灯用の発光部が点灯される。
【０００３】
なお、特許文献１には、単色タイプの照明装置において、第１または第２ＬＥＤ直列体の何れかが断線した場合に、正常なＬＥＤブロックへの影響を回避する技術が開示されるが、調色タイプの照明装置への適用については言及されていない。また、特許文献２には、単色タイプの照明装置において、第１の光源部側または第２の光源部側で異常（短絡または開放）がある場合、一方の光源部の点灯を維持する技術が開示されるが、調色タイプの照明装置への適用については言及されていない。
【先行技術文献】
【特許文献】
【０００４】
【特許文献１】特開２０１０−２２５９９６号公報
【特許文献２】特開２０１１−２５５７２９号公報
【発明の概要】
【発明が解決しようとする課題】
【０００５】
しかしながら、上述の従来の照明装置では、照明用の発光部とは別に保安灯用の発光部を更に備えるので、構成が複雑化するという問題点がある。
【０００６】
この問題点に対して、保安灯用の発光部を省略して構成を簡素化することが考えられる。しかし、そのように保安灯用の発光部を省略すると、照明用の発光部で異常が検知された場合に、最低限必要な明かりが確保できなくなると共に当該異常の発生を報知できなくなるという問題点が発生する。
【０００７】
そこで、本発明は、上記の問題点を鑑みてなされたものであり、互いに異なる光色を有する複数の発光部を用いて照明光を調色する照明装置において、構成を簡素化でき、発光部の異常検知時に真っ暗になることを防止でき、および、発光部での異常の発生を報知できる照明装置を提供することを目的とする。
【課題を解決するための手段】
【０００８】
本発明の例示的な照明装置は、互いに異なる光色を有する複数の発光部と、前記発光部を点灯駆動する制御装置とを備える。前記制御装置は、前記発光部に生じる異常を検知可能である。前記制御装置は、前記複数の発光部のうち少なくとも一つの発光部において異常が生じていることを検知したとき、異常が生じている発光部への通電を遮断し、異常が生じていない発光部への通電を行う。
【０００９】
本発明の例示的な照明装置は、互いに異なる光色を有する複数の発光部と、前記各発光部に電流を供給して前記各発光部をそれぞれ点灯駆動する複数の点灯駆動部と、前記各発光部に流れる電流または前記各発光部に掛かる電圧に基づいて前記各発光部で異常が発生したか否かを検知する異常検知部と、前記各点灯駆動部を介して前記各発光部の点灯状態を制御する第１制御部と、を備え、前記第１制御部は、前記各発光部の点灯中に前記異常検知部により前記各発光部の何れかで異常が検知された場合は、前記異常が検知された前記発光部が消灯されると共に前記異常が検知されない前記発光部の点灯が継続されるように前記各点灯駆動部を制御する。
【００１０】
上記の構成によれば、照明光の点灯中に異常検知部により各発光部の何れかで異常が検知された場合は、異常が検知された発光部が消灯されるので、その消灯動作により（即ち、異常報知用の発光部を別に備えること無く）異常が発生したことを使用者へ報知できる。また、異常が検知されない発光部の点灯が継続されるので、夜間等に異常発生した時に照明装置を設置している空間が真っ暗になることを防止できる。また、異常報知用の発光部を別に備えないので、構成を簡素化できる。なお、上記作用効果は一例である。
【００１１】
本発明の照明装置は、上記構成を基本とし、例えば以下のような様々な態様をとることができる。また、各態様に対応する作用効果は一例である。
【００１２】
すなわち、本発明の例示的な照明装置は、上記に記載の照明装置であって、前記異常検知部は、前記各発光部に流れる電流をそれぞれ検出する複数の電流検出部と、前記各電流検出部の何れかにより検出された電流が所定の閾値電流以上である場合に、当該発光部で異常が発生したと判定する判定部と、を備える。
【００１３】
上記の構成によれば、異常検知部は、各発光部に流れる電流を検出する複数の電流検出部と、各電流検出部の何れかにより検出された電流が所定の閾値電流以上である場合に、当該発光部で異常が発生したと判定する判定部とを備えるので、発光部に発生する異常として、発光部に流れる過電流を検知できる。
【００１４】
また、本発明の例示的な照明装置は、上記に記載の照明装置であって、前記異常検知部は、前記各発光部に掛かる電圧をそれぞれ検出する複数の電圧検出部と、前記各電圧検出部の何れかにより検出された電圧が第１閾値電圧以上または前記第１閾値電圧よりも低い第２閾値電圧未満である場合に、当該発光部で異常が発生したと判定する判定部と、を備える。
【００１５】
上記の構成によれば、異常検知部は、各発光部に掛かる電圧を検出する複数の電圧検出部と、各電圧検出部の何れかにより検出された電圧が第１閾値電圧以上または第１閾値電圧よりも低い第２閾値電圧未満である場合に、当該発光部で異常が発生したと判定する判定部とを備えるので、発光部に発生する異常として、発光部に発生する過電圧または減電圧を検知できる。
【発明の効果】
【００１６】
本発明の照明装置によれば、互いに異なる光色を有する複数の発光部を用いて照明光を調色する照明装置において、構成を簡素化でき、発光部の異常検知時に真っ暗になることを防止でき、および、発光部での異常の発生を報知できる。
【図面の簡単な説明】
【００１７】
【図１】本発明の第１および第４実施形態に係る照明装置の構成概略図である。
【図２】本発明の第１実施形態に係る照明装置の動作を説明するフローチャートである。
【図３】本発明の第２実施形態に係る照明装置の構成概略図である。
【図４】本発明の第３実施形態に係る照明装置の構成概略図である。
【図５】本発明の第５実施形態に係る照明装置の構成概略図である。
【図６】本発明の第５実施形態の操作入力装置の構成概略図である。
【図７】本発明の第５実施形態に係る照明装置の動作を説明するフローチャートである。
【図８】本発明の第６実施形態に係る照明装置の構成概略図である。
【図９】本発明の第７実施形態に係る照明装置の構成概略図である。
【図１０】本発明の第７実施形態の各発光部の配置の一例を示した平面図である。
【発明を実施するための形態】
【００１８】
以下、本発明の実施形態を添付図面を参照して詳細に説明する。
【００１９】
≪第１実施形態≫
＜構成説明＞
図１は、本発明の第１実施形態に係る照明装置の構成概略図である。
【００２０】
第１実施形態に係る照明装置１は、図１に示すように、互いに異なる光色を有する複数（例えば２個）の発光部３，５からの光により構成される照明光を出力する照明装置である。照明装置１は、各発光部３，５の点灯中（即ち、照明光の出力中）に各発光部３，５の何れかで異常（ここでは過電流）が検知された場合に、異常が検知された発光部が消灯されると共に、異常が検知されない発光部の点灯が継続されるようにしたものである。
【００２１】
この照明装置１は、互いに異なる光色を有する複数の発光部（ここでは、第１および第２発光部３，５、以後、各発光部３，５とも呼ぶ）と、電源Ｂと、電源Ｂからの電力を用いて各発光部３，５を点灯駆動する複数の点灯駆動部（ここでは、第１および第２点灯駆動部７，９、以後、各点灯駆動部７，９とも呼ぶ）と、各発光部３，５に流れる電流を検出する複数の電流検出部（ここでは、第１および第２電流検出部１１，１３、以後、各電流検出部１１，１３とも呼ぶ）と、照明装置１に対する操作を入力するための操作入力装置１５と、各電流検出部１１，１３の検出結果および操作入力装置１５への入力操作に基づいて各点灯駆動部７，９を制御する制御装置１７とを備えている。
【００２２】
電源Ｂの負極は、接地点に接続されており、電源Ｂの陽極には、複数の発光部３，５と同数の電源線（ここでは、第１および第２電源線ｈ１，ｈ２）が接続されている。
【００２３】
第１発光部３は、例えば、色温度が２７００Ｋ（Ｋ：ケルビン）の暖色系の第１光色を有する発光部である。第１発光部３は、例えば、複数（例えば２個）の第１ＬＥＤ（ＬＥＤ：発光ダイオード）直列体３ａ，３ｂが互いに並列接続されて構成される。各第１ＬＥＤ直列体３ａ，３ｂは、前記第１光色を有する１個以上（例えば３個）の第１ＬＥＤｄ１が順方向に直列接続されて構成される。各第１ＬＥＤ直列体３ａ，３ｂの一端のカソードは、接地点に接地され、各第１ＬＥＤ直列体３ａ，３ｂの他端のアノードは、第１電源線ｈ１に接続されている。
【００２４】
第２発光部５は、例えば、色温度が６５００Ｋの寒色系の第２光色を有する発光部である。第２発光部５は、例えば、複数（例えば２個）の第２ＬＥＤ直列体５ａ，５ｂが互いに並列接続されて構成される。各第２ＬＥＤ直列体５ａ，５ｂは、前記第２光色を有する１個以上（例えば３個）の第２ＬＥＤｄ２が順方向に直列接続されて構成される。各第２ＬＥＤ直列体５ａ，５ｂの一端のカソードは、接地点に接続され、各第２ＬＥＤ直列体５ａ，５ｂの他端のアノードは、第２電源線ｈ２に接続されている。
【００２５】
第１点灯駆動部７は、制御装置１７の制御に応じて、第１電源線ｈ１を通じて電源Ｂから供給される点灯電流を、所定電流値の電流に変化させて、第１電源線ｈ１を通じて第１発光部３に供給する。ここでは、第１点灯駆動部７は、第１電源線ｈ１に介装接続されたスイッチングトランジスタ等のスイッチング素子（図示省略）を含む定電流回路として構成される。第１点灯駆動部７は、そのスイッチング素子が制御装置１７によりＰＷＭ（パルス幅変調）制御されることで、電源Ｂからの点灯電流を所定電流値の電流に変化させる。
【００２６】
第２点灯駆動部９は、制御装置１７の制御に応じて、第２電源線ｈ２を通じて電源Ｂから供給される点灯電流を、所定電流値の電流に変化させて、第２電源線ｈ２を通じて第２発光部５に供給する。ここでは、第２点灯駆動部９は、第２電源線ｈ２に介装接続されたスイッチングトランジスタ等のスイッチング素子（図示省略）を含む定電流回路として構成される。第２点灯駆動部９は、そのスイッチング素子が制御装置１７によりＰＷＭ制御されることで、電源Ｂからの点灯電流を所定電流値の電流に変化させる。
【００２７】
第１電流検出部１１は、第１発光部３の各第１ＬＥＤ直列体３ａ，３ｂに流れた電流を検出する。第１電流検出部１１は、例えば、各第１ＬＥＤ直列体３ａ，３ｂに接続された各抵抗Ｒ１，Ｒ２と、各第１ＬＥＤ直列体３ａ，３ｂに接続された各整流ダイオードＤ１，Ｄ２とを備える。
【００２８】
抵抗Ｒ１は、第１ＬＥＤ直列体３ａの一端のカソードと接地点との間に介装接続され、抵抗Ｒ２は、第１ＬＥＤ直列体３ｂの一端のカソードと接地点との間に介装接続される。各整流ダイオードＤ１，Ｄ２のカソードは共通接続されて制御装置１７に接続され、整流ダイオードＤ１のアノードは、第１ＬＥＤ直列体３ａの一端のカソードと抵抗Ｒ１との間に接続され、整流ダイオードＤ２のアノードは、第１ＬＥＤ直列体３ｂの一端のカソードと抵抗Ｒ２との間に接続される。
【００２９】
第１電流検出部１１は、下記のように動作する。即ち、第１電流検出部１１では、第１ＬＥＤ直列体３ａ（３ｂ）に流れた点灯電流は抵抗Ｒ１（Ｒ２）を通電して接地点へと流れる。その際、当該点灯電流が過電流でない場合は、当該点灯電流による抵抗Ｒ１（Ｒ２）での電圧降下は比較的小さくなるので、整流ダイオードＤ１（Ｄ２）に掛かる順方向電圧も比較的小さくなり、第１ＬＥＤ直列体３ａ（３ｂ）から整流ダイオードＤ１（Ｄ２）を通じて制御装置１７に比較的小さい電流（即ち、所定の閾値電流未満の電流）が流れる。
【００３０】
他方、当該点灯電流が過電流である場合は、当該点灯電流による抵抗Ｒ１（Ｒ２）での電圧降下は比較的大きくなるので、整流ダイオードＤ１（Ｄ２）に掛かる順方向電圧も比較的大きくなり、第１ＬＥＤ直列体３ａ（３ｂ）から整流ダイオードＤ１（Ｄ２）を通じて制御装置１７に比較的大きな電流（即ち、前記所定の閾値電流以上の電流）が流れる。このように、第１電流検出部１１から制御装置１７へは、各第１ＬＥＤ直列体３ａ，３ｂに流れた電流の大きさに応じた大きさの電流が流れる。第１電流検出部１１は、各整流ダイオードＤ１，Ｄ２の少なくとも一方から制御装置１７に流れる電流を検出することで、各第１ＬＥＤ直列体３ａ（３ｂ）に流れた電流を検出できる。
【００３１】
第２電流検出部１３は、第２発光部５の各第２ＬＥＤ直列体５ａ，５ｂに流れた電流を検出する。第２電流検出部１３は、例えば、各第２ＬＥＤ直列体５ａ，５ｂに接続された各抵抗Ｒ３，Ｒ４と、各第２ＬＥＤ直列体５ａ，５ｂに接続された各整流ダイオードＤ３，Ｄ４とを備える。
【００３２】
抵抗Ｒ３は、第２ＬＥＤ直列体５ａの一端のカソードと接地点との間に介装接続され、抵抗Ｒ４は、第２ＬＥＤ直列体５ｂの一端のカソードと接地点との間に介装接続される。各整流ダイオードＤ３，Ｄ４のカソードは共通接続されて制御装置１７に接続され、整流ダイオードＤ３のアノードは、第２ＬＥＤ直列体５ａの一端のカソードと抵抗Ｒ３との間に接続され、整流ダイオードＤ４のアノードは、第２ＬＥＤ直列体５ｂの一端のカソードと抵抗Ｒ４との間に接続される。第２電流検出部１３の動作は、第１電流検出部１１の動作と同様である。
【００３３】
操作入力装置１５は、使用者により、照明装置１の照明光の調色段数および調光段数を指定することができる操作部を備える。操作入力装置１５は、照明光の調色段数および調光段数を指定する操作が実行されると、その操作内容を含む操作信号を、無線通信媒体を介して制御装置１７に送信する。なお、本実施の形態では、操作入力装置１５と制御装置１７とは無線通信媒体により接続されるが、操作入力装置１５と制御装置１７とを有線通信媒体で接続して、その有線通信媒体を通じて前記操作信号を制御装置１７に送信してもよい。
【００３４】
制御装置１７は、操作入力装置１５からの操作信号を受信すると、照明光（即ち、各発光部３，５の輝度）がその操作信号で指定された調色段数および調光段数となるように各点灯駆動部７，９を制御する。また、制御装置１７は、各発光部３，５の点灯中（即ち、照明光の出力中）に、各電流検出部１１，１３により検出された電流に基づいて各発光部３，５の何れかで異常が発生したか否かの判定を行う。制御装置１７は、各発光部３，５の何れかで異常が発生したと判定すると（即ち、各発光部３，５の何れかで異常が検知されると）、異常が検知された発光部を消灯させると共に異常が検知されない発光部の点灯を継続させるように各点灯駆動部７，９を制御する。
【００３５】
より詳細には、制御装置１７は、操作入力装置１５からの操作信号を受信する受信部１７ａと、各電流検出部１１，１３により検出された電流に基づいて各発光部３，５に異常が発生したか否かを判定する判定部１７ｂと、受信部１７ａにより受信された操作信号および判定部１７ｂの判定結果に基づいて各点灯駆動部７，９を制御する制御部１７ｃ（第１制御部）と、各点灯駆動部７，９の制御に必要なデータを記憶している記憶部１７ｄとを備えている。
【００３６】
記憶部１７ｄには、前記データとして、照明装置１の照明光の各調色段数（例えば１〜１０の１０段）および各調光段数（例えば１〜１０の１０段）と、それら各調色段数および各調光段数での照明光に必要な各発光部３，５への供給電流の電流値との対応関係を表すテーブルを記憶している。このテーブルでは、例えば、調色段数が「２」で且つ調光段数が「３」の場合は、第１発光部３への供給電流の電流値として例えば７１．０９ｍＡが対応され、第２発光部５への供給電流の電流値として例えば８．９１ｍＡが対応されている。
【００３７】
判定部１７ｂは、第１電流検出部１１により検出された電流と前記所定の閾値電流との大小比較を行う。判定部１７ｂは、その比較の結果、第１電流検出部１１により検出された電流が前記所定の閾値電流以上である場合は、第１発光部３で異常（即ち、過電流）が発生したと判定する。他方、判定部１７ｂは、第１電流検出部１１により検出された電流が前記所定の閾値電流未満である場合は、第１発光部３で異常は発生していないと判定する。
【００３８】
同様に、判定部１７ｂは、第２電流検出部１３により検出された電流と前記所定の閾値電流との大小比較を行う。判定部１７ｂは、その比較の結果、第２電流検出部１３により検出された電流が前記所定の閾値電流以上である場合は、第２発光部５で異常が発生したと判定する。他方、判定部１７ｂは、第２電流検出部１３により検出された電流が前記所定の閾値電流未満である場合は、第２発光部５で異常は発生していないと判定する。
【００３９】
ここでは、判定部１７ｂと各電流検出部１１，１３とにより、異常検知部１０が構成されている。異常検知部１０は、各発光部３，５に流れる電流を参照して、各発光部３，５で異常が発生したか否かを検知することができる。
【００４０】
制御部１７ｃは、各点灯駆動部７，９を駆動制御する複数のＰＷＭ制御部（ここでは、第１および第２ＰＷＭ制御部１７ｅ，１７ｆ）と、受信部１７ａにより受信された操作信号および判定部１７ｂの判定結果に基づいて各ＰＷＭ制御部１７ｅ，１７ｆを制御する演算部１７ｇとを備えている。
【００４１】
第１ＰＷＭ制御部１７ｅは、演算部１７ｇの制御に応じて、第１点灯駆動部７の前記スイッチング素子をＰＷＭ制御する。これにより、第１点灯駆動部７は、第１電源線ｈ１を通じて電源Ｂから供給される点灯電流を、所定電流値の電流に変更して、第１電源線ｈ１を通じて第１発光部３に供給する。また、第２ＰＷＭ制御部１７ｆは、演算部１７ｇの制御に応じて、第２点灯駆動部９のスイッチング素子をＰＷＭ制御する。これにより、第２点灯駆動部９は、第２電源線ｈ２を通じて電源Ｂから供給される点灯電流を、所定電流値の電流に変更して、第２電源線ｈ２を通じて第２発光部５に供給する。
【００４２】
演算部１７ｇは、判定部１７ｂにより各発光部３，５の何れかで異常が発生したと判定されない場合（即ち、前記異常検知部により異常が検知されない場合）は、記憶部１７ｄに記憶されているテーブルを参照して、操作信号で指定された調色段数および調光段数に対応した供給電流の電流値を選択する。次に、演算部１７ｇは、選択した各電流値の電流がそれぞれ各発光部３，５に供給されるように、各ＰＷＭ制御部１７ｅ，１７ｆを介して各点灯駆動部７，９を制御する。
【００４３】
また、演算部１７ｇは、照明光の点灯動作中に、判定部１７ｂにより各発光部３，５の何れかで異常が発生したと判定された場合（即ち、前記異常検知部により異常が検知された場合）は、異常が検知された発光部を消灯させると共に異常が検知されない発光部の点灯をその検知時の輝度のままで継続させるように、各ＰＷＭ制御部１７ｅ，１７ｆを介して各点灯駆動部７，９を制御する。
【００４４】
＜動作説明＞
次に、図２に基づいて照明装置１の動作を説明する。図２は、照明装置１の動作を説明するフローチャートである。
【００４５】
ステップＵ１で、操作入力装置１５において、照明装置１の照明光の調色段数および調光段数を指定する操作が実行された場合（ＹＥＳ）は、処理がステップＵ２に進む。操作入力装置１５において、照明装置１の照明光の調色段数および調光段数を指定する操作が実行されない場合（ＮＯ）は、処理がステップＵ１に戻る。
【００４６】
ステップＵ２では、操作入力装置１５は、操作信号を制御装置１７の受信部１７ａに送信する。受信部１７ａは、操作信号を受信する。次に、制御部１７ｃは、記憶部１７ｄに記憶されているテーブルを参照し、受信部１７ａが受信した操作信号により指定された調色段数および調光段数に対応した供給電流の電流値を選択する。次に、制御部１７ｃは、各点灯駆動部７，９から各発光部３，５に供給される各点灯電流がそれぞれ、その選択された各電流値に変化するように、各点灯駆動部７，９を制御する。
【００４７】
これにより、各発光部３，５が、制御部１７ｃにより選択された前記各電流値に応じた輝度で発光する。各発光部３，５からの光により構成される照明光は、操作入力装置１５に操作入力された調色段数および調光段数に制御される（以後、この制御を照明光の点灯動作と呼ぶ）。
【００４８】
ステップＵ３では、制御装置１７の判定部１７ｂは、第１電流検出部１１により検出された電流を参照して、第１発光部３で異常が発生したか否かの判定を行う。制御部１７ｃは、判定部１７ｂが第１発光部３で異常が発生したと判定した場合（即ち、第１発光部３で異常が検知された場合）（ＹＥＳ）は、処理がステップＵ４に進む。一方、制御部１７ｃは、判定部１７ｂが第１発光部３に異常が発生したと判定しない場合（即ち、第１発光部３で異常が検知されない場合）（ＮＯ）は、処理がステップＵ５に進む。
【００４９】
ステップＵ４では、判定部１７ｂは、第２電流検出部１３により検出された電流を参照して、第２発光部５で異常が発生したか否かの判定を行う。制御部１７ｃは、判定部１７ｂが第２発光部５で異常が発生したと判定した場合（即ち、第２発光部５で異常が検知された場合）（ＹＥＳ）は、処理がステップＵ６に進む。制御部１７ｃは、判定部１７ｂが第２発光部５で異常が発生したと判定しない場合（即ち、第２発光部５で異常が検知されない場合）（ＮＯ）は、処理がステップＵ７に進む。
【００５０】
ステップＵ６では、制御部１７ｃは、第１点灯駆動部７の前記スイッチ素子をオフ制御する。これにより、第１点灯駆動部７は、第１発光部３への点灯電流の供給を停止する。また、制御部１７ｃは、第２点灯駆動部９の前記スイッチ素子をオフ制御する。これにより、第２点灯駆動部９は、第２発光部５への点灯電流の供給を停止する。このように、異常が検知された各発光部３，５が消灯されることで、各発光部３，５で異常が発生したことを使用者へ報知する。
【００５１】
他方、ステップＵ７では、制御部１７ｃは、第１点灯駆動部７の前記スイッチ素子をオフ制御する。これにより、第１点灯駆動部７は、第１発光部３への点灯電流の供給を停止する。また、制御部１７ｃは、第２点灯駆動部９の前記スイッチ素子のＰＷＭ制御を継続させる。これにより、第２点灯駆動部９は、第２発光部５への点灯電流の供給を継続する（即ち、第２発光部５に供給される点灯電流の電流値がそのまま維持される）。
【００５２】
これにより、異常が検知された第１発光部３が消灯されると共に、異常が検知されない第２発光部５の点灯が継続される。このように、異常が検知された第１発光部３が消灯されることで、第１発光部３で異常が発生したことを使用者へ報知する。また、異常が検知されない第２発光部５の点灯が継続されることで、例えば夜間等に異常発生した時に照明装置１を設置している空間が真っ暗になることが防止される。。
【００５３】
他方、ステップＵ５では、判定部１７ｂは、第２電流検出部１３により検出された電流を参照して、第２発光部５で異常が発生したか否かの判定を行う。制御部１７ｃは、判定部１７ｂが第２発光部５で異常が発生したと判定した場合（即ち、第２発光部５で異常が検知された場合）（ＹＥＳ）は、処理がステップＵ８に進む。一方、制御部１７ｃは、判定部１７ｂが第２発光部５に異常が発生したと判定しない場合（即ち、第２発光部５で異常が検知されない場合）（ＮＯ）は、処理がステップＵ９に進む。
【００５４】
ステップＵ８では、制御部１７ｃは、第１点灯駆動部７の前記スイッチ素子のＰＷＭ制御を継続させる。第１点灯駆動部７は、第１発光部３への点灯電流の供給を継続する。また、制御部１７ｃは、第２点灯駆動部９の前記スイッチ素子をオフ制御する。これにより、第２点灯駆動部９は、第２発光部５への点灯電流の供給を停止する。
【００５５】
これにより、異常が検知されない第１発光部３の点灯が継続されると共に、異常が検知された第２発光部５が消灯される。このように、異常が検知された第２発光部５が消灯されることで、第２発光部５で異常が発生したことを報知する。また、異常が検知されない第１発光部３の点灯が継続されることで、例えば夜間等に異常発生した時に照明装置１を設置している空間が真っ暗になることが防止される。
【００５６】
他方、ステップＵ９では、制御部１７ｃは、第１点灯駆動部７の前記スイッチ素子のＰＷＭ制御を継続させる。これにより、第１点灯駆動部７は、第１発光部３への点灯電流の供給を継続する。また、制御部１７ｃは、第２点灯駆動部９の前記スイッチ素子のＰＷＭ制御を継続させる。これにより、第２点灯駆動部９は、第２発光部５への点灯電流の供給を継続する。これにより、異常が検知されない各発光部３，５の点灯が継続される。。なお、以後、各ステップＵ３〜Ｕ９の動作を異常検知動作と呼ぶ。
【００５７】
制御装置１７は、ステップＵ６，Ｕ７，Ｕ８，Ｕ９以降、ステップＵ６，Ｕ７，Ｕ８，Ｕ９の処理内容を維持するとともに、操作入力装置１５から送信される操作信号を受信可能な状態で待機する。
【００５８】
＜主要な効果＞
以上のように構成された照明装置１によれば、照明光の点灯中に異常検知部１０により各発光部３，５の何れかで異常が検知された場合は、異常が検知された発光部が消灯されるので、その消灯動作により（即ち、異常報知用の発光部を別に備えること無く）異常が発生したことを使用者へ報知できる。また、異常が検知されない発光部の点灯が継続されるので、例えば夜間等に異常発生した時に照明装置１を設置している空間が真っ暗になることを防止できる。また、異常報知用の発光部（「常夜灯」等と呼ばれる電球を備える発光部）を別に備えないので、構成を簡素化できる。
【００５９】
また、異常検知部１０は、各発光部３，５に流れる電流を検出する複数の電流検出部１１，１３と、各電流検出部１１，１３の何れかにより検出された電流が前記所定の閾値電流以上である場合に当該発光部で異常が発生したと判定する判定部１７ｂとを備えるので、発光部３，５に発生する異常として、発光部３，５に流れる過電流を検知できる。
【００６０】
≪第２実施形態≫
第１実施形態では、各発光部３，５に発生する異常として、各発光部３，５に発生する過電流が検出されたが、第１実施形態では、各発光部３，５に発生する異常として、各発光部３，５に発生する過電圧または減電圧が検出される。以下、図３に基づいて、第１実施形態に係る照明装置１Ｂについて、第１実施形態と異なる点を中心に説明する。
【００６１】
図３は、本発明の第２実施形態に係る照明装置の構成概略図である。
【００６２】
第２実施形態に係る照明装置１Ｂは、第１実施形態に係る照明装置１（図１参照）において、複数の電流検出部１１，１３を省略して、各発光部３，５に掛かる電圧を検出する複数の電圧検出部（ここでは、第１および第２電圧検出部２１，２３）を更に備えたものである。
【００６３】
第１電圧検出部２１は、第１電源線ｈ１における第１発光部３の上流側の電位を検出することで第１発光部３に掛かる電圧を検出し、その検出した電圧を制御装置１７の判定部１７ｂＢに出力する。第２電圧検出部２３は、第２電源線ｈ２における第２発光部５の上流側の電位を検出することで第２発光部５に掛かる電圧を検出し、その検出した電圧を制御装置１７の判定部１７ｂＢに出力する。
【００６４】
第２実施形態の判定部１７ｂＢは、各電圧検出部２１，２３により検出された電圧にを参照して、各発光部３，５に異常（ここでは、過電圧または減電圧）が発生したか否かの判定を行う。即ち、判定部１７ｂＢは、第１電圧検出部２１により検出された電圧Ｖｄｅ１と第１閾値電圧Ｖｔｈ１およびこの第１閾値電圧Ｖｔｈ１よりも低い第２閾値電圧Ｖｔｈ２との大小比較を行う。判定部１７ｂＢは、第１電圧検出部２１により検出された電圧Ｖｄｅ１が前記第１閾値電圧Ｖｔｈ１以上であるか又は前記第２閾値電圧Ｖｔｈ２未満である場合（Ｖｄｅ１≧Ｖｔｈ１、またはＶｄｅ１＜Ｖｔｈ２）は、第１発光部３で異常が発生したと判定する。他方、判定部１７ｂＢは、第１電圧検出部２１により検出された電圧が前記第１閾値電圧未満で且つ前記第２閾値電圧以上である場合（Ｖｔｈ２≦Ｖｄｅ１＜Ｖｔｈ１）は、第１発光部３で異常は発生していないと判定する。
【００６５】
同様に、判定部１７ｂＢは、第２電圧検出部２３により検出された電圧Ｖｄｅ２と前記第１閾値電圧Ｖｔｈ１および前記第２閾値電圧Ｖｔｈ２との大小比較を行う。判定部１７ｂＢは、第２電圧検出部２３により検出された電圧Ｖｄｅ２が前記第１閾値電圧Ｖｔｈ１以上であるか又は前記第２閾値電圧Ｖｔｈ２未満である場合（Ｖｄｅ２≧Ｖｔｈ１、またはＶｄｅ２＜Ｖｔｈ２）は、第２発光部５で異常が発生したと判定する。他方、判定部１７ｂＢは、第２電圧検出部２３により検出された電圧Ｖｄｅ２が前記第１閾値電圧Ｖｔｈ１未満で且つ前記第２閾値電圧Ｖｔｈ２以上である場合（Ｖｔｈ２≦Ｖｄｅ２＜Ｖｔｈ１）は、第２発光部５で異常は発生していないと判定する。
【００６６】
なお、第２実施形態では、判定部１７ｂＢと各電圧検出部２１，２３とにより、各発光部３，５に掛かる電圧を参照して各発光部３，５に異常が発生したか否かを検知する異常検知部１０Ｂが構成される。
【００６７】
また、照明装置１Ｂの他の構成は、第１実施形態に係る照明装置１と同様に構成されるので、それらの説明は省略する。なお、図３では、第１実施形態と同じ構成要素には、第１実施形態の構成要素と同じ符号が付されている。
【００６８】
なお、照明装置１Ｂの動作は、第１実施形態に係る照明装置１の動作における、各電流検出部１１，１３により各発光部３，５に流れる電流を検出する動作に代えて、各電圧検出部２１，２３により各発光部３，５に掛かる電圧を検出する動作を含む。また、照明装置１Ｂの動作は、第１実施形態に係る照明装置１の動作において、判定部１７ｂＢにより各電圧検出部２１，２３により検出された電圧に基づいて各発光部３，５の何れかで異常が発生したか否かの判定が行われるように変更したものである。故に、照明装置１Ｂの動作説明は省略する。
【００６９】
以上のように構成された照明装置１Ｂによれば、異常検知部１０Ｂは、各発光部３，５に掛かる電圧を検出する複数の電圧検出部２１，２３と、各電圧検出部２１，２３の何れかにより検出された電圧が第１閾値電圧以上またはこの第１閾値電圧よりも低い第２閾値電圧未満である場合に、当該発光部で異常が発生したと判定する判定部１７ｂＢとを備えるので、発光部３，５に発生する異常として、発光部３，５に発生する過電圧または減電圧を検知できる。
【００７０】
≪第１および第２実施形態の変形例≫
第１および第２実施形態では、照明装置の点灯中に、異常検知部１０，１０Ｂにより各発光部３，５の何れかで異常が検知された場合は、異常が検知されない発光部の点灯はその異常検知時の輝度のままで継続される動作について説明した。この変形例では、異常が検知されない発光部の輝度が、その異常検知時の輝度よりも低い輝度（例えば、各点灯駆動部７，９により制御可能な電流範囲内の所定電流値（例えば最小電流値）の電流に対応する最小輝度）に低下される。
【００７１】
より詳細には、制御部１７ｃは、判定部１７ｂ，１７ｂＢにより各発光部３，５の何れか（例えば発光部３）で異常が発生したと判定された場合は、異常が発生したと判定された発光部３への電流供給が停止されるように第１点灯駆動部７を制御すると共に、異常が発生したと判定されない発光部（例えば発光部５）に点灯電流として前記所定電流値の電流が供給されるように第２点灯駆動部９を制御する。これにより、異常が発生したと判定された（即ち、異常が検知された）発光部は消灯され、異常が発生したと判定されない（即ち、異常が検知されない）発光部の点灯は所定輝度（例えば前記最小輝度）に低下されて継続される。
【００７２】
なお、各発光部３，５に供給される点灯電流が小さ過ぎると、各発光部３，５の輝度が高精度に制御できないので、各発光部３，５の輝度が常に高精度に制御可能なように、各点灯駆動部７，９には、上述のように、制御可能な電流範囲が設定されている。
【００７３】
この変形例によれば、異常検知部１０，１０Ｂにより各発光部３，５の何れかで異常が検知された場合は、異常が検知されない発光部の輝度が低下されるので、より一層分かり易く、異常が発生したことを使用者へ報知できる。
【００７４】
≪第３実施形態≫
図４は、本発明の第３実施形態に係る照明装置の構成概略図である。
【００７５】
第３実施形態に係る照明装置１Ｅは、図４に示すように、第１実施形態に係る照明装置１（図１参照）において、各発光部３，５の異常を報知する電子音発生部１８を更に備えたものである。以下、図４に基づいて、第３実施形態に係る照明装置１Ｅについて、第１実施形態と異なる点を中心に説明する。
【００７６】
第３実施形態の制御装置１７Ｅは、第１実施形態の制御装置１７において、電子音発生部１８を更に備えたものである。即ち、制御装置１７Ｅは、受信部１７ａと、判定部１７ｂと、制御部１７ｃＥと、記憶部１７ｄとを備えている。受信部１７ａ、判定部１７ｂおよび記憶部１７ｄは、第１実施形態の場合と同様に構成される。
【００７７】
電子音発生装置１８は、例えば、ブザー音（電子音）を発生するブザー装置、または、異常発生を使用者へ報知する音声（電子音）を発生する音声発声装置として構成される。
【００７８】
制御部１７ｃＥは、第１実施形態の制御部１７ｃと同様に、第１および第２ＰＷＭ制御部１７ｅ，１７ｆと、演算部１７ｇＥとを備えている。第１および第２ＰＷＭ制御部１７ｅ，１７ｆは、第１実施形態の場合と同様に構成される。
【００７９】
演算部１７ｇＥは、第１実施形態の演算部１７ｇにおいて、更に、判定部１７ｂにより各発光部３，５の何れかで異常が発生したと判定された場合（即ち、異常が検知された場合）に、電子音発生部１８から電子音が発生されるように電子音発生部１８を制御するものである。
【００８０】
なお、照明装置１Ｅの他の構成は、第１実施形態に係る照明装置１と同様なので、照明装置１Ｅの他の構成の説明は、図４において照明装置１の構成と同じ構成に同じ符号を付して、省略する。
【００８１】
以上のように構成された照明装置１Ｅによれば、各発光部３，５の何れかで異常が検知された場合は、電子音発生部１８から電子音が発生されるので、より一層分かり易く、各発光部３，５の何れかで異常が発生したことを使用者へ報知できる。
【００８２】
なお、第３実施形態では、第１実施形態に係る照明装置１において、各発光部３，５の異常を報知する電子音発生部１８を更に備える場合で説明したが、第２実施形態に係る照明装置１Ｂにおいて、電子音発生部１８を更に備えてもよい。
【００８３】
≪第４実施形態≫
第４実施形態に係る照明装置１Ｆは、第１実施形態に係る照明装置１において、各発光部３，５の何れかで異常が検知された場合に、制御部１７ｃが操作入力装置１５からの入力操作を受け付けないようにしたものである。以下、図１に基づいて、第４実施形態に係る照明装置１Ｆについて、第１実施形態と異なる点を中心に説明する。
【００８４】
図１は、本発明の第４実施形態に係る照明装置の構成概略図である。なお、図１は、第１実施形態に係る照明装置の構成概略図と兼用されている。
【００８５】
第４実施形態の演算部１７ｇＦは、第１実施形態の演算部１７ｇにおいて、更に、判定部１７ｂにより各発光部３，５の何れかで異常が発生したと判定された場合（即ち、各発光部３，５の何れかで異常が検知された場合）は、受信部１７ａにより受信された操作信号を無効にするものである。
【００８６】
ここでは、演算部１７ｇＦは、判定部１７ｂにより各発光部３，５の何れかで異常が発生されたと判定された場合は、受信部１７ａにより受信された操作信号に含まれる全ての操作内容を無効にすることで、操作入力装置１５（第１操作入力装置）に入力された操作の全てを受け付けない構成とした。これに対して、演算部１７ｇＦは、受信部１７ａにより受信された操作信号に含まれる操作内容の一部（例えば、照明光の調色段数および調光段数を指定する操作内容）だけを無効することで、操作入力装置１５に入力された操作の一部だけを受け付けないようにしてもよい。
【００８７】
なお、照明装置１Ｆの他の構成は、第１実施形態に係る照明装置１と同様なので、照明装置１Ｆの他の構成の説明は、図１において照明装置１の構成と同じ構成に同じ符号を付して、省略する。
【００８８】
以上のように構成された照明装置１Ｆによれば、各発光部３，５の何れかで異常が検知された場合は、演算部１７ｇ（従って制御部１７ｃ）により操作入力装置１５に入力された操作が無効にされるので（即ち、操作入力装置１５への操作入力が受け付けられなくなるので）、より一層分かり易く、各発光部３，５の何れかで異常が発生したことを使用者へ報知できる。
【００８９】
なお、第４実施形態では、第１実施形態に係る照明装置１において、各発光部３，５の何れかで異常が検知された場合に、制御部１７ｃが操作入力装置１５からの入力操作を受け付けないようにする場合で説明したが、第２実施形態に係る照明装置１Ｂにおいて、各発光部３，５の何れかで異常が検知された場合に、制御部１７ｃが操作入力装置１５からの入力操作を受け付けないようにしてもよい。
【００９０】
≪第５実施形態≫
第５実施形態に係る照明装置１Ｇは、第１実施形態に係る照明装置１（図１参照）において、更に、操作入力装置１５に異常報知部および受光部を備える。照明装置１Ｇは、各発光部３，５の何れかで異常が検知された場合に、異常が検知されない発光部と操作入力装置１５の前記受光部との間で可視光通信が行われて、操作入力装置１５の前記異常報知部から当該異常が報知されるようにしたものである。以下、図５に基づいて、第５実施形態に係る照明装置１Ｇについて、第１実施形態と異なる点を中心に説明する。
【００９１】
＜構成説明＞
第５実施形態に係る照明装置１Ｇは、第１実施形態に係る照明装置１において、各発光部３，５を可視光通信用に高速点滅させるための複数のスイッチング素子（第２スイッチング素子）（ここでは各スイッチング素子Ｍ１，Ｍ２）を備えたものである。より詳細には、各スイッチング素子Ｍ１（Ｍ２）は、例えばＮチャネルＭＯＳＦＥＴとして構成される。各スイッチング素子Ｍ１（Ｍ２）の一方の主電極は、各電流検出部１１（１３）の各抵抗Ｒ１，Ｒ２（Ｒ３，Ｒ４）の下流側の端部に共通接続され、各スイッチング素子Ｍ１（Ｍ２）の他方の主電極は、接地点に接続され、各スイッチング素子Ｍ１（Ｍ２）の制御電極は、制御部１７ｃＧに接続される。
【００９２】
また、第５実施形態の制御部１７ｃＧは、第１実施形態の制御部１７ｃにおいて、各スイッチング素子Ｍ１，Ｍ２を可視光通信用に高速でオンオフ制御する第１および第２可視光通信制御部１７ｐ，１７ｒを更に備えたものである。即ち、制御部１７ｃＧは、第１および第２ＰＷＭ制御部１７ｅ，１７ｆと、第１および第２可視光通信制御部１７ｐ，１７ｒと、第１および第２ＰＷＭ制御部１７ｅ，１７ｆおよび第１および第２可視光通信制御部１７ｐ，１７ｒを制御する演算部１７ｇＧとを備えている。第１および第２ＰＷＭ制御部１７ｅ，１７ｆは、第１実施形態の場合と同様に構成される。
【００９３】
演算部１７ｇＧは、第１実施形態の演算部１７ｇにおいて、各発光部３，５が可視光通信用の発光部として機能するように、各可視光通信制御部１７ｐ，１７ｒを介して各スイッチング素子Ｍ１，Ｍ２をオンオフ制御する機能を更に備えたものである。
【００９４】
より詳細には、演算部１７ｇＧは、判定部１７ｂにより各発光部３，５の何れか（例えば発光部３）に異常が発生したと判定された場合（即ち、異常が検知された場合）は、異常が検知されない発光部５から所定の点灯消灯パターンの光信号が発信されるように、異常が検知されない発光部５用の光通信用制御部１７ｒを介して発光部５用のスイッチング素子Ｍ２を高速でオンオフ制御する。
【００９５】
また、第５実施形態の操作入力装置１５Ｇ（第２操作入力装置）は、第１実施形態の操作入力装置１５において、各発光部３，５からの光信号を受光する受光部１５ｃと、各発光部３，５での異常発生を報知する異常報知部１５ｄとを更に備えたものである。
【００９６】
より詳細には、操作入力装置１５Ｇは、図６に示すように、照明装置１Ｇに対する操作が入力されるボタンおよびスイッチ等からなる操作部１５ａと、操作部１５に入力された操作内容を操作信号として制御装置１７の受信部１７ａ（図５参照）に送信する送信部１５ｂと、前記受光部１５ｃと、前記異常報知部１５ｄと、それら各部１５ａ，１５ｂ，１５ｃ，１５ｄを制御する制御部１５ｅ（第２制御部）とを備えている。
【００９７】
受光部１５ｃは、例えばフォトトランジスタにより構成されている。受光部１５ｃは、各発光部３，５から発光された光を受光すると通電し、各発光部３，５からの光信号を電気信号に変換する。受光部１５ｃは、各発光部３，５から前記所定の点灯消灯パターンの光信号を受光すると、そのパターンと同じ振幅パターンの電気信号を制御部１５ｅに出力する。
【００９８】
異常報知部１５ｄは、制御部１５ｅの制御に応じて異常を報知する。異常報知部１５ｄは、例えば、発光により異常を報知するＬＥＤ等の発光部、または、異常報知用のマークを表示することで異常を報知する表示部として構成される。
【００９９】
制御部１５ｅは、操作部１５ａに操作（例えば照明光の調色段数および調光段数を指定する操作）が操作入力されると、その操作内容を操作信号として送信部１５ｂから制御装置１７の受信部１７ａに送信させる。
【０１００】
また、制御部１５ｅは、受光部１５ｃからの電気信号を受けると、その電気信号の振幅パターンが前記所定の点灯消灯パターンと同じであるか否かの判定を行う。制御部１５ｅは、振幅パターンと点灯消灯パターンとが同じであると判定した場合は、各発光部３，５の何れかで異常が発生したと判定（即ち、異常が発生したことを検知）して、異常報知部１５ｄにより異常が報知されるように異常報知部１５ｄを制御する。
【０１０１】
＜動作説明＞
次に、図７に基づいて照明装置１Ｇの主要な動作を説明する。図７は、照明装置１Ｇの主要な動作を説明するフローチャートである。
【０１０２】
ステップＶ１で、判定部１７ｂは、各電流検出部１１，１３からの電流を参照して、各発光部３，５の何れかで異常が発生したか否かの判定を行う。制御装置１７は、判定部１７ｂにより、各発光部３，５の何れか（例えば第１発光部３）で異常が発生したと判定された場合（即ち、異常が検知された場合）（ＹＥＳ）は、処理がステップＶ２に進む。制御装置１７は、判定部１７ｂにより各発光部３，５で異常が発生したと判定されない場合（即ち、異常が検知されない場合）（ＮＯ）は、処理がステップＶ１に戻る。
【０１０３】
ステップＶ２では、制御部１７ｃＧは、異常が検知された発光部（例えば第１発光部３）が消灯されると共に異常が検知されない発光部（例えば第２発光部５）の点灯が継続されるように、各点灯駆動部７，９を制御する。
【０１０４】
ステップＶ３で、異常が検知されない発光部（例えば第２発光部５）の点灯中に、更に、制御部１７ｃＧにより、第２発光部５から前記所定の点灯消灯パターンの光信号が発信されるように、第２発光部５用のスイッチング素子Ｍ２が可視光通信制御（即ち、高速でオンオフ制御）される。この制御により、第２発光部５に供給される点灯電流が供給または停止が繰り返されて第２発光部５の点灯または消灯が繰り返され、これにより、第２発光部５から前記所定の点灯消灯パターンの光信号が発信される。
【０１０５】
ステップＶ４で、操作入力装置１５Ｇの受光部１５ｃが第５発光部５から発信された光信号を受光した場合（ＹＥＳ）は、処理がステップＶ５に進む。他方、受光部１５ｃが第５発光部５から発信された光信号を受光しない場合（ＮＯ）は、処理がステップＶ４に戻る。
【０１０６】
ステップＶ５では、操作入力装置１５Ｇは、受光部１５ｃで受光した光信号を電気信号に変換して制御部１５ｅに出力する。制御部１５ｅは、受光部１５ｃからの電気信号の振幅パターンが前記所定の点灯消灯パターンと同じであるか否かの判定を行う。制御部１５ｅは、その判定の結果、振幅パターンと点灯消灯パターンとが同じであると判定した場合（ＹＥＳ）は、処理がステップＶ６に進む。ステップＶ６では、異常報知部１５ｅにより各発光部３，５の何れかで異常が発生したことが報知されて、処理が終了する。他方、ステップＶ５の判定の結果、振幅パターンと点灯消灯パターンとが同じでないと判定した場合（ＮＯ）は、処理がステップＶ７に進む。ステップｖ７では、異常報知部１５ｅによる異常報知は行われずに、処理が終了する。
【０１０７】
なお、上記の動作説明では、ステップＶ１では、一例として、第１発光部３で生じた異常が検知され且つ第２発光部５で生じた異常が検知されない処理内容としたが、この処理内容に合わせて、ステップＶ２では、一例として、第１発光部３が消灯され且つ第２発光部５の点灯が継続される処理内容とし、ステップＶ３では、一例として、第２発光部５から光信号が発信される処理内容とした。仮に、ステップＶ１で、第２発光部５で異常が検知され且つ第１発光部３で異常が検知されない場合は、この場合に合わせて、ステップＶ２では、第２発光部５が消灯され且つ第１発光部３の点灯が継続され、ステップＶ３では、第１発光部３から光信号が発信されることになる。
【０１０８】
なお、ステップＶ１で、第１および第２発光部３，５の両方で異常が検知された場合は、ステップＶ２では、第１および第２発光部３，５が共に消灯され、ステップＶ３では、第１および第２発光部３，５の何れからも光信号が発信されずに、処理が終了する。この場合は、操作入力装置１５Ｇの異常報知部１５による異常報知は行われないことになる。
【０１０９】
＜主要な効果＞
以上のように構成された照明装置１Ｇによれば、可視光通信用のスイッチング素子（例えばスイッチング素子Ｍ２）により、異常が検知されない発光部（例えば第２発光部５）から所定の点灯消灯パターンの光信号が発信され、その光信号が操作入力装置１５Ｇの受光部１５ｃにより受光されて電気信号に変換され、その電気信号の振幅パターンが所定の点灯消灯パターンと同じである場合に、操作入力装置１５Ｇの異常報知部１５ｄにより異常が報知される。したがって、操作入力装置１５Ｇの異常報知部１５ｄにより、分かり易く、各発光部３，５の何れかで異常が発生したことを使用者へ報知できる。また、異常が検知されない発光部（即ち、照明用の発光部）から光信号が発信されるので、光信号の発信側の構成として既存の発光部を利用でき、構成を簡素化できる。
【０１１０】
なお、第５実施形態では、各スイッチング素子Ｍ１，Ｍ２毎に可視光通信制御部１７ｐ，１７ｒを備える場合で説明したが、各スイッチング素子Ｍ１，Ｍ２を１つの可視光通信制御部で制御してもよい。この場合は、前記１つの可視光通信制御部により全てのスイッチング素子Ｍ１，Ｍ２が同時にオンオフ制御されるが、異常が検知された発光部はその点灯駆動部により消灯されるので、異常が検知されない発光部だけから光信号が発信される。
【０１１１】
≪第６実施形態≫
第１実施形態では、照明光の点灯中に、各発光部３，５の何れかで異常が検知された場合は、異常が検知されない発光部の点灯は点灯状態のままで継続される場合で説明したが、第６実施形態では、異常が検知されない発光部の点灯は点滅状態に変更されて継続される。以下、図８に基づいて、第６実施形態に係る照明装置１Ｈについて、第１実施形態と異なる点を中心に説明する。
【０１１２】
第６実施形態に係る照明装置１Ｈは、第１実施形態に係る照明装置１（図１参照）において、各発光部３，５を点滅させるための複数のスイッチング素子（第１スイッチング素子）（ここでは各スイッチング素子Ｎ１，Ｎ２）を備えたものである。より詳細には、各スイッチング素子Ｎ１（Ｎ２）は、例えばＮチャネルＭＯＳＦＥＴとして構成される。各スイッチング素子Ｎ１（Ｎ２）の一方の主電極は、各電流検出部１１（１３）の各抵抗Ｒ１，Ｒ２（Ｒ３，Ｒ４）の下流側の端部に共通接続され、各スイッチング素子Ｎ１（Ｎ２）の他方の主電極は、接地点に接続され、各スイッチング素子Ｎ１（Ｎ２）の制御電極は、制御部１７ｃＨに接続される。
【０１１３】
また、第６実施形態の制御部１７ｃＨは、第１実施形態の制御部１７ｃにおいて、各スイッチング素子Ｎ１，Ｎ２をオンオフ制御する第１および第２点滅制御部１７ｍ，１７ｎを更に備えたものである。即ち、制御部１７ｃＨは、第１および第２ＰＷＭ制御部１７ｅ，１７ｆと、各スイッチング素子Ｎ１，Ｎ２をオンオフ制御する第１および第２点滅制御部１７ｍ，１７ｎと、第１および第２ＰＷＭ制御部１７ｅ，１７ｆおよび第１および第２点滅制御部１７ｍ，１７ｎを制御する演算部１７ｇＨとを備えている。第１および第２ＰＷＭ制御部１７ｅ，１７ｆは、第１実施形態の場合と同様に構成される。
【０１１４】
演算部１７ｇＨは、第１実施形態の演算部１７ｇにおいて、各発光部３，５が点滅するように、各点滅制御部１７ｐ，１７ｒを介して各スイッチング素子Ｍ１，Ｍ２をオンオフ制御する機能を更に備えたものである。
【０１１５】
より詳細には、演算部１７ｇＨは、第１実施形態の場合と同様に、判定部１７ｂにより各発光部３，５の何れか（例えば第１発光部３）で異常が発生したと判定された場合（即ち、異常が検知された場合）は、異常が検知された発光部３への点灯電流の供給が停止されると共に異常が検知されない発光部（例えば第２発光部５）への点灯電流の供給が継続されるように、各ＰＷＭ制御部１７ｅ，１７ｆを介して各点灯駆動部７，９を制御する。更に、演算部１７ｇＨは、異常が検知されない発光部５に供給される点灯電流の供給および停止が交互に繰り返されるように、発光部５用の点滅制御部１７ｎを介してスイッチング素子Ｎ２をオンオフ制御する。
【０１１６】
これらの制御により、異常が検知されない発光部５に供給される点灯電流の供給および停止が交互に繰り返されて、発光部５が点滅される。これにより、照明光の点灯中に、各発光部３，５の何れか（例えば発光部３）で異常が検知された場合は、異常が検知された発光部３が消灯されると共に異常が検知されない発光部５が点滅される。
【０１１７】
なお、照明装置１Ｈの他の構成は、第１実施形態に係る照明装置１と同様なので、照明装置１Ｈの他の構成の説明は、図８において照明装置１の構成と同じ構成に同じ符号を付して、省略する。
【０１１８】
また、ここでは、各点灯駆動部７，９は、第１実施形態の場合と同様に定電流回路であるので、各スイッチング素子Ｎ１，Ｎ２がオフのときは、各発光部３，５に点灯電流を供給するために電圧を上げるように動作する。この動作を抑制するために、ここでは、各点灯駆動部７，９は、定電圧定電流回路であることが望ましい。
【０１１９】
以上のように構成された照明装置１Ｈによれば、各発光部３，５の何れかで異常が検知された場合は、異常が検知されない発光部が点滅されるので、より一層分かり易く、各発光部３，５の何れかで異常が検知されたことを報知できる。また、各発光部３，５に供給される電流の供給および停止を交互に繰り返すための（即ち、各発光部３，５を点滅させるための）複数のスイッチング素子Ｎ１，Ｎ２を備えるので、各発光部３，５の点滅の速さを自由に変更できる。
【０１２０】
なお、第６実施形態は、第１実施形態において、異常が検知されない発光部の点灯が点滅状態に変更される場合で説明したが、第２実施形態において、異常が検知されない発光部の点灯が点滅状態に変更されてもよい。
【０１２１】
≪第６実施形態の変形例≫
第６実施形態では、各スイッチング素子Ｎ１，Ｎ２および各点滅制御部１７ｍ，１７ｎを用いて、異常が検知されない発光部を点滅させる場合で説明したが、それら各構成要素Ｎ１，Ｎ２，１７ｍ，１７ｎを用いる代わりに、各点灯駆動部７，９を用いて、異常が検知されない発光部を点滅させてもよい。即ち、各発光部３，５の何れか（例えば発光部３）で異常が検知された場合に、制御部１７ｃＨにより、異常が検知されない発光部（例えば発光部５）に供給される点灯電流の供給および停止が交互に繰り返されるように、発光部５用の点灯駆動部９を制御してもよい。この場合は、各構成要素Ｎ１，Ｎ２，１７ｍ，１７ｎを省略できるので、構成を簡素化できる利点がある。
【０１２２】
≪第７実施形態≫
図９は、第７実施形態に係る照明装置１Ｋの構成概略図であり、図１０は、第７実施形態の各発光部の配置の一例を示した平面図である。
【０１２３】
第７実施形態に係る照明装置１Ｋは、図９に示すように、第１実施形態に係る照明装置１（図１参照）において、互いに異なる光色の複数の発光部（例えば第１および第２発光部３，５）と、各発光部３，５に点灯電流を供給する複数の点灯駆動部（例えば第１および第２点灯駆動部７，９）と、各発光部３，５に流れる電流を検出する複数の電流検出部（例えば第１および第２電流検出部１１，１３）とで構成される照明ユニット１２が複数個（例えば各照明ユニット１２ａ，１３ｂ，１３ｃの３個）備えられ、各照明ユニット１２の各発光部３，５の何れかで（例えば照明ユニット１２ａの発光部３で）異常が検知されると、異常が検知された発光部３を含む照明ユニット１２ａ内の各発光部３，５の全部が消灯され、且つ、異常が検知された発光部３を含まない各照明ユニット１２ｂ，１２ｃのうち、少なくとも１つの照明ユニットの点灯が継続されると共に残り照明ユニットが消灯される（ここでは、異常が検知された発光部３を含まない全ての照明ユニット１２ｂ，１２ｃの点灯が継続される）ものである。
【０１２４】
以下、図９および図１０に基づいて、第７実施形態に係る照明装置１Ｋについて、第１実施形態と異なる点を中心に説明する。
【０１２５】
照明装置１Ｋは、上述のように、第１実施形態に係る照明装置１において、複数の照明ユニット１２ａ，１２ｂ，１２ｃを備えたものである。
【０１２６】
各照明ユニット１２ａ，１２ｂ，１２ｃの各発光部３，５は、図１０に示すように、各照明ユニット１２ａ，１２ｂ，１２ｃ毎に纏められて配置される。図１０では、一例として、各照明ユニット１２ａ，１２ｂ，１２ｃ内で、第１発光部３は外側に円弧状に配置され、第２発光部５は内側に円弧状に配置されており、各照明ユニット１２ａ，１２ｂ，１２ｃは、環状に配置されている。
【０１２７】
第７実施形態の判定部１７ｂは、第１実施形態の場合と同様に、各照明ユニット１２ａ，１２ｂ，１２ｃ内の各電流検出部１１，１３により検出された電流に基づいて、各照明ユニット１２ａ，１２ｂ，１２ｃ内の各発光部３，５の何れかで異常（即ち、過電流）が発生したか否かの判定を行う。
【０１２８】
また、第７実施形態の制御部１７ｃＩは、第１実施形態の制御部１７ｃにおいて、各照明ユニット１２ａ，１２ｂ，１２ｃ内の各発光部３，５を点灯駆動する各点灯駆動部７，をそれぞれＰＷＭ制御する複数のＰＷＭ制御部（図示省略）を備えたものである。
【０１２９】
また、制御部１７ｃＩは、照明光の点灯動作時は、第１実施形態での照明光の点灯動作と同様に、各照明ユニット１２ａ，１２ｂ，１２ｃの照明光（即ち、各発光部３，５の輝度）が、受信部１７ａにより受信された操作信号により指定された調色段数および調光段数になるように、各照明ユニット１２ａ，１２ｂ，１２ｃの各点灯駆動部７，９を制御する。
【０１３０】
また、制御部１７ｃＩは、照明光の点灯動作中に、判定部１７ｇにより各照明ユニット１２ａ，１２ｂ，１２ｃの各発光部３，５の何れか（例えば照明ユニット１２ａの発光部３）で異常が発生したと判定された場合（即ち、異常が検知された場合）は、異常が検知された発光部３を含む照明ユニット１２ａの各発光部３，５が消灯され、且つ、異常が検知された発光部３を含まない各照明ユニット１２ｂ，１２ｃの各発光部３，５の点灯を継続するように各照明ユニット１２ａ，１２ｂ，１２ｃの各点灯駆動部７，９を制御する。
【０１３１】
以上のように構成された照明装置１Ｋによれば、照明光の点灯中に各照明ユニット１２ａ，１２ｂ，１２ｃ内の各発光部３，５の何れか（例えば照明ユニット１２ａの第１発光部３）で異常が検知された場合は、異常が検知された発光部３を含む照明ユニット１２ａ内の各発光部３，５が消灯されるので、その消灯動作により（即ち、異常報知用の発光部を別に備えること無く）異常が発生したことを使用者へ報知できる。また、異常が検知された発光部３を含まない照明ユニット１２ｂ，１２ｃのうち、少なくとも１つの照明ユニットの点灯が継続されるので、例えば夜間等に異常発生した時に照明装置を設置している空間が真っ暗になることを防止できる。また、異常報知用の発光部を別に備えないので、構成を簡素化できる。
【０１３２】
≪付帯事項≫
以上、添付図面を参照しながら本発明の好適な実施形態について説明したが、本発明は斯かる例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【０１３３】
また、第１から第７実施形態、第１および第２実施形態の変形例のうちの何れかを組み合わせた発明についても、当然に本発明の技術的範囲に属するものと解される。
【産業上の利用可能性】
【０１３４】
本発明は、互いに異なる光色を有する複数の発光部（例えばＬＥＤ）から発光される光により構成される照明光を出力する照明装置への適用に最適である。
【符号の説明】
【０１３５】
１，１Ｂ，１Ｅ，１Ｆ，１Ｇ，１Ｈ，１Ｋ  照明装置
３  第１発光部（発光部）
５  第２発光部（発光部）
７  第１点灯駆動部（点灯駆動部）
９  第２点灯駆動部（点灯駆動部）
１０，１０Ｂ  異常検知部
１１  第１電流検出部（電流検出部）
１２  照明ユニット
１３  第２電流検出部（電流検出部）
１５  操作入力装置（第１操作入力装置）
１５Ｇ  操作入力装置（第２操作入力装置）
１５ｃ  受光部
１５ｄ  異常報知部
１５ｅ  制御部（第２制御部）
１７ｂ，１７ｂＢ  判定部
１７ｃ，１７ｃＥ，１７ｃＧ，  制御部（第１制御部）
１８  電子音発生部
２１  第１電圧検出部（電圧検出部）
２３  第２電圧検出部（電圧検出部）
Ｍ１，Ｍ２  スイッチング素子（第２スイッチング素子）
Ｎ１，Ｎ２  スイッチング素子（第１スイッチング素子）
【図１】
2014011053.tif 000003
【図２】
2014011053.tif 000004
【図３】
2014011053.tif 000005
【図４】
2014011053.tif 000006
【図５】
2014011053.tif 000007
【図６】
2014011053.tif 000008
【図７】
2014011053.tif 000009
【図８】
2014011053.tif 000010
【図９】
2014011053.tif 000011
【図１０】
2014011053.tif 000012